(57)【要約】      （修正有）【課題】粉砕排出量（使用量）を容易に確認できる調味料用手動ミルを提供する。【解決手段】透明な容器体２と、内周面に固定歯１１２を備えて容器体の開口箇所に装着する固定歯部１１、及び前記固定歯と対面する可動歯１２１を備えて、前記固定歯部に回転自在に装着されてなる可動歯部１２で構成される粉砕機構体とからなる調味料用手動ミルであって、容器体の調味料収納部分と仕切られ、固定歯及び可動歯に臨む粉砕室Ｂを形成すると共に、容器体の底方近傍と前記粉砕室Ｂを連通する狭径通路部３４を設けてなる。【選択図】図３
0003190010.tif 000002
【実用新案登録請求の範囲】
【請求項１】
透明な容器体と、内周面に固定歯を備えて容器体の開口箇所に装着する固定歯部、及び前記固定歯と対面する可動歯を備えて、前記固定歯部に回転自在に装着されてなる可動歯部で構成される粉砕機構体とからなる調味料用手動ミルであって、容器体の調味料収納部分と仕切られ、固定歯及び可動歯に臨む粉砕室を形成すると共に、容器体の底方近傍と前記粉砕室を連通する狭径通路部を設けてなることを特徴とする調味料用手動ミル。
【請求項２】
狭径通路部内の調味料量の目印となる目盛線を設けてなる請求項１記載の調味料用手動ミル。
【請求項３】
容器体の開口部に粉砕機構体を螺合装着する手動ミルにおいて、容器体の開口縁に載置される鍔部と、容器体の開口内周に嵌合される装着筒部と、鍔部延長或いは段差を介して装着筒部の内側を閉塞する仕切り部と、仕切り部を貫通して容器体装着時に容器体の一側に偏り、且つ底方近傍に達する狭径通路部とを備えた付属体を、容器体開口部に装着してなる請求項１又は２記載の調味料用手動ミル。
【請求項４】
容器体を、適宜径及び適宜長の胴体部材に、前記胴体部材の上方開口箇所を閉塞する仕切り部と、仕切り部を貫通すると共に、胴部長と対応し且つ偏った位置に設けた狭径通路部と、前記狭径通路の連通口を含む範囲内の仕切り部の上面に設けた粉砕機構体の螺合装着筒部とを備えた上方部材を溶着し、胴体部材の下方開口箇所に開閉蓋部材を装着して形成してなる請求項１又は２記載の調味料用手動ミル。
【考案の詳細な説明】
【技術分野】
【０００１】
本考案は、調味料用手動ミルに関するものである。
【背景技術】
【０００２】
調味料用手動ミルは、岩塩、胡椒粒、ゴマ粒等の粒状調味料を粉砕して食器上の料理に直接振り掛け、或いは調理中の料理に振り掛けるのに使用するもので、その基本的構成は、粒状調味料を収納する容器部と、内周面に固定歯を備えて容器部の開口箇所に装着する固定歯部と、前記固定歯と対面する可動歯を設けて前記固定歯部に回転自在に装着されてなる可動歯部とで構成されている（特許文献１）。
【０００３】
また紛体調味料容器には、定量振出機構を備えた器具が知られている。例えば特許文献２には、隔壁で仕切られた移送室を備え、前記移送室に収納粉末を送り込み、移送室と容器本体を遮断した状態で移送室内の紛体を放出する構造の紛体分注容器が示されている。また特許文献３には、放出口に対して出没自在に設けた排出用操作シャフトに、適宜な排出用凹部を形成し、前記排出用凹部に紛体を収納した状態で放出口より突出させて、排出用凹部容積に対応した容量の紛体を排出するようにしている粉体調味料容器が開示されている。また更に同文献３の容器は、排出用シャフトに目盛を表示し、容器内収納量の目安としている。
【先行技術文献】
【特許文献】
【０００４】
【特許文献１】特開２００１−２３２２２３号公報。
【特許文献２】実開平６−９５６８号公報。
【特許文献３】実開昭６１−１００２７０号公報。
【考案の概要】
【考案が解決しようとする課題】
【０００５】
調味料用手動ミルは、一般的に定量振出機構を備えていない。即ち調味料用手動ミルは、粒状調味料の粉砕と同時に粉砕した調味料を器具から排出するもので、振りかけ量は粉砕操作に基づく目分量で行われていた。
【０００６】
紛体容器においては前記したように定量排出機構が知られているが、手動ミルにおいては粉砕操作が必要であり、前記紛体調味料容器の定量排出機構をそのまま手動ミルに採用しても、構造が複雑になってしまう。
【０００７】
そこで本考案は、少ない定量粉砕排出量であってもその量を容易に確認できる新規構造の調味料用手動ミルを提案したものである。
【課題を解決するための手段】
【０００８】
本考案の請求項１記載に係る調味料用手動ミルは、透明な容器体と、内周面に固定歯を備えて容器体の開口箇所に装着する固定歯部、及び前記固定歯と対面する可動歯を備えて、前記固定歯部に回転自在に装着されてなる可動歯部で構成される粉砕機構体とからなる調味料用手動ミルであって、容器体の調味料収納部分と仕切られ、固定歯及び可動歯に臨む粉砕室を形成すると共に、容器体の底方近傍と前記粉砕室を連通する狭径通路部を設けてなることを特徴とするものである。
【０００９】
而して容器体の調味料収納部分に所望の粒状調味料を収納し、全体を上下に回わした操作をし、狭径通路部を通して粒状調味料を粉砕室に満たすと共に、狭径通路部内にも粒状調味料を収納し、粉砕機構体を下方に位置させた状態で可動歯部を回転操作し、粉砕した調味料を器具より排出する。この粒状調味料の粉砕排出に伴って狭径通路部内の粒状調味料の充足線（調味料の上端位置）が下がることになり、下がる量で粒状調味料の粉砕排出量を知ることができる。
【００１０】
また本考案の請求項２記載に係る調味料用手動ミルは、特に前記の調味料用手動ミルにおいて、特に狭径通路部内の調味料量の目印となる目盛線を設けてなるもので、調味料の粉砕排出量を目盛線で確認できるものである。
【００１１】
また本考案の請求項３記載に係る調味料用手動ミルは、特に前記の請求項１又は２記載の調味料用手動ミルにおいて、容器体の開口部に粉砕機構体を螺合装着する手動ミルにおいて、容器体の開口縁に載置される鍔部と、容器体の開口内周に嵌合される装着筒部と、鍔部延長或いは段差を介して装着筒部の内側を閉塞する仕切り部と、仕切り部を貫通して容器体装着時に容器体の一側に偏り、且つ底方近傍に達する狭径通路部とを備えた付属体を、容器体開口部に装着してなるものである。
【００１２】
従って既存の容器体と粉砕機構体を備えた手動ミルに、付属体を装着することで定量排出確認機能を備えることができる。
【００１３】
また本考案の請求項４記載に係る調味料用手動ミルは、特に前記の請求項１又は２記載の調味料用手動ミルにおいて、容器体を、適宜径及び適宜長の胴体部材に、前記胴体部材の上方開口箇所を閉塞する仕切り部と、仕切り部を貫通すると共に、胴部長と対応し且つ偏った位置に設けた狭径通路部と、前記狭径通路の連通口を含む範囲内の仕切り部の上面に設けた粉砕機構体の螺合装着筒部とを備えた上方部材を溶着し、胴体部材の下方開口箇所に開閉蓋部材を装着して形成してなるものである。
【００１４】
従って前記容器体は、特に粉砕機構体を容器体から取り外すことなく、容易に容器体に粒状調味料を供給することができる。
【考案の効果】
【００１５】
本考案の構成は上記のとおり、仕切られた粉砕室と粉砕室に連通する狭径通路を設けるという非常に簡単な構造を付加したもので、粒状調味料の粉砕排出量を狭径通路における調味料の減少量から容易に確認でき、而もその量が少ない場合でも容易に確認できるものである。
【図面の簡単な説明】
【００１６】
【図１】本考案の第一実施形態の分解斜視図。
【図２】同付属体の説明図で（イ）は一部切断正面図（ロ）は平面図。
【図３】同使用状態の説明図。
【図４】本考案の第一実施形態の容器体の分解斜視図。
【図５】同組立状態の説明図。
【考案を実施するための形態】
【００１７】
次に本考案の実施形態について説明する。図１〜３に示した第一実施形態は、既存の手動ミルの粉砕機構体１と容器体２をそのまま利用し、付属体３を組み込むことで本考案の実施としているものである。
【００１８】
粉砕機構体１は公知構造であって、固定歯部１１と可動歯部１２で構成され、固定歯部１１は、容器体２の開口部２１に螺合装着され螺合装着部１１１の先方周面に固定歯１１２を設けたものである。また可動歯部１２は、前記固定歯１１２に可動歯１２１が対面し、且つ回動自在となるように固定歯部１１に装着したもので、固定歯１１２と可動歯１２１の間の先方に排出口１２２を形成し、排出口１２２を開閉する蓋部１２３を設けてなるものである。
【００１９】
容器体２は、透明なガラス容器が一般的であり、開口部２１の外周には粉砕機構体１を螺合装置する螺条２２が形成されている。
【００２０】
付属体３は、容器体２の開口部２１に装着されるもので、容器体２の開口部２１の上縁に載置される鍔部３１と、開口部２１の内周面に嵌合される装着筒部３２と、鍔部３１から傾斜して鍔部３１と段差を介して連続して装着筒部３２の内側を閉塞する仕切り部３３と、仕切り部３３を貫通して容器体装着時に容器体１の内部一側に偏り、且つ底方近傍に達する狭径通路部３４とを備えたものである。また狭径通路部３４には通路方向（筒軸）へ適宜間隔で目盛線３５を付設してなる。
【００２１】
而して前記の既存の容器体２に、粒状調味料Ａを収納し、付属体３を容器体２の開口部２１に装着し、更に粉砕機構体１を容器体２に螺合装着して使用するものである。
【００２２】
容器体２内の粒状調味料Ａを粉砕排出するには、従前と同様に容器体２を上下逆転させて使用するものであるが、特に本考案の手動ミルは、容器体２の粒状調味料Ａが狭径通路部３４を通過して、仕切り部３３によって形成された粉砕室Ｂを満たすと共に、狭径通路部３４内にも粒状調味料を収納した状態とする。
【００２３】
そこで可動歯部１２を回転操作し、粉砕調味料Ｃを排出口１２２より所定の料理に振りかけるものである。この粒状調味料Ａの粉砕排出に伴って、容器体２内の収納調味料Ａのうち、狭径通路部３４内の粒状調味料Ａのみが減少し、特に狭径通路部３４を特に狭くしていることで、調味料Ａの上端位置ａが大きく変化する。従って予め狭径通路部３４の容積に対応して目盛線３５を設けておくと、当該減少量を目盛線３５で確認することで調味料の使用量を知ることができる。
【００２４】
また図４，５は本考案の第二実施形態で、粉砕機構体１は既存のものを使用し、新規な使用量確認機能を備えた容器体４を透明樹脂材で形成して使用する例を示したものである。
【００２５】
この第二実施形態の容器体４は、３部材で構成され、胴体部材４ａと上方部材４ｂと開閉蓋部材４ｃで構成されているもので、胴体部材４ａは、適宜径及び適宜長の胴部４１を備え、下方開口部に開閉蓋部材４ｃの着脱用螺条４２を設けたものである。
【００２６】
上方部材４ｂは、前記の胴体部材４ａの上方開口部に溶着して一体化したもので、胴部４１の上方開口箇所を閉塞する仕切り部４３と、仕切り部４３を貫通すると共に、胴部長と対応し且つ偏った位置で、且つ適宜長さ垂下させた狭径通路部４４と、前記狭径通路部４４の連通口４５を含む範囲内の仕切り部４３の上面に形成した粉砕機構体１の螺合装着筒部４６を設けたものである。
【００２７】
また開閉蓋部材４ｃは、胴部４１の下方開口部を塞ぐ蓋部４７と、着脱用螺条４２に螺合着脱可能とした蓋装着部４８とを備えているものである。
【００２８】
而して前記実施形態も前記第一実施形態と同様に、螺合装着筒部４６に粉砕機構体１を装着し、容器体４の底方から粒状調味料Ａを収納し、開閉蓋部材４ｃを装着して胴部４１の下方開口部を閉塞して保管状態とし、使用に際して前記第一実施形態と同様に粉砕機構体１を下方にして可動歯部１２を回転操作して、粒状調味料Ａを粉砕排出するものであり、特に粒状調味料Ａは、仕切り部３３で形成され粉砕室Ｂを満たすと共に、狭径通路部３４内にも収納した状態で使用する。
【００２９】
従って粒状調味料Ａを粉砕調味料Ｃとして排出して使用すると、その使用に伴って、狭径通路部４４内の粒状調味料Ａのみが減少し、その減少量で使用量を知ることができる。特にこの第二実施形態は容器体４の底面に開閉蓋部材４ｃを設けたものであるから、容器体４への調味料供給を容易に行うことができる。
【符号の説明】
【００３０】
１      粉砕機構体
１１    固定歯部
１１１    螺合装着部
１１２    固定歯
１２    可動歯部
１２１    可動歯
１２２    排出口
１２３    蓋部
２      容器体
２１    開口部
２２    螺条
３      付属体
３１    鍔部
３２    装着筒部
３３    仕切り部
３４    狭径通路部
３５    目盛線
４      容器体
４ａ    胴体部材
４ｂ    上方部材
４ｃ    開閉蓋部材
４１    胴部
４２    着脱用螺条
４３    仕切り部
４４    狭径通路部
４５    連通口
４６    螺合装着筒部
４７    蓋部
４８    蓋装着部
【図１】
0003190010.tif 000003
【図２】
0003190010.tif 000004
【図３】
0003190010.tif 000005
【図４】
0003190010.tif 000006
【図５】
0003190010.tif 000007